(57)【特許請求の範囲】
【請求項１】
２つの表示器を備え、操作により第１表示器が隠蔽され、第２表示器が露出している第１の状態と第１表示器が露出している第２の状態とに択一切り換え可能な移動体通信装置であって、
１以上の電話番号それぞれについて、その電話番号自身又はその電話番号とその電話番号に対応する人の名前との対を、発呼先を示す情報として記憶している記憶手段と、
前記第１の状態において、表示対象とする電話番号が、前記名前と対をなしている場合には、当該名前を前記第２表示器に表示させ、それ以外の場合には、前記電話番号自身を前記第２表示器に表示させる表示制御手段と、
前記第１の状態から前記第２の状態に切り換えられたとき、前記第２表示器に表示されている名前又は電話番号により特定される発呼先に対して発呼する発呼手段とを備えることを特徴とする移動体通信装置。
【請求項２】
前記記憶手段が記憶している電話番号は、複数であり、
前記移動体通信装置は、さらに、操作者から表示対象とする前記電話番号の変更指示を受付ける変更指示受付手段を備え、
前記表示制御手段は、１つの電話番号のみを前記表示対象として選出し、前記変更指示が受付けられる毎に、前記表示対象を切り換えることを特徴とする請求項１記載の移動体通信装置。
【請求項３】
前記表示制御手段は、前記第１の状態から前記第２の状態に切り換えられたとき、前記第２表示器に表示されている内容を、前記第１表示器に表示させることを特徴とする請求項２記載の移動体通信装置。
【請求項４】
前記表示制御手段は、
前記第１表示器における前記名前の表示に伴って、当該名前と対をなしている電話番号を当該名前と共に表示させることを特徴とする請求項３記載の移動体通信装置。
【請求項５】
前記記憶手段は、前記名前に当該名前の音節表順位を対応づけて記憶しており、前記表示制御手段は、前記順位にもとづいて前記表示対象の切り換えを実施することを特徴とする請求項４記載の移動体通信装置
【請求項６】
さらに、
操作者から名前の入力を受付ける受付手段を備え、
前記記憶手段に記憶されている名前は、予め前記受付手段により受付けられたものであることを特徴とする請求項５記載の移動体通信装置。
【請求項７】
さらに、前記第１の状態から前記第２の状態へと切り換わる初期の段階で第２の状態となったことを検出する検出手段を備え、前記発呼手段は、前記検出がなされたとき、前記発呼を実施することを特徴とする請求項６記載の移動体通信装置。
【請求項８】
さらに、発呼を行った回数を、前記記憶手段内に格納されている当該発呼先の電話番号に対応づける発呼回数対応づけ手段を備え、
前記表示制御手段は、多い発呼回数が対応づけられている電話番号を前記表示対象とすることを特徴とする請求項３記載の移動体通信装置。
【請求項９】
さらに、着呼に伴って到来する電話番号を取得し、前記記憶手段に格納する電話番号取得手段を備えることを特徴とする請求項２記載の移動体通信装置。
【請求項１０】
さらに、着呼がなされた時期を、当該着呼に伴って取得される電話番号に対応づける着呼時期対応づけ手段を備え、
前記表示制御手段は、遅い着呼時期が対応づけられている電話番号から優先して前記表示対象にすることを特徴とする請求項９記載の移動体通信装置。
【請求項１１】
さらに、操作者から電話番号の入力を受付ける受付手段を備え、前記記憶手段に記憶されている電話番号は、予め前記受付手段により受付けられたものであることを特徴とする請求項１記載の移動体通信装置。
【請求項１２】
さらに、前記第１の状態から前記第２の状態へと切り換わる初期の段階で第２の状態となったことを検出する検出手段を備え、前記発呼手段は、前記検出がなされたとき、前記発呼を実施することを特徴とする請求項１記載の移動体通信装置。
【請求項１３】
１以上の電話番号それぞれについて、その電話番号自身又はその電話番号とその電話番号に対応する人の名前との対を、発呼先を示す情報として記憶している記憶手段と、２つの表示器とを備え、操作により第１表示器が隠蔽され、第２表示器が露出している第１の状態と第１表示器が露出している第２の状態とに択一切り換え可能な移動体通信装置において、発呼する発呼方法であって、
前記第１の状態において、表示対象とする電話番号が、前記名前と対をなしている場合には、当該名前を前記第２表示器に表示させ、それ以外の場合には、前記電話番号自身を前記第２表示器に表示させる表示制御ステップと、
前記第１の状態から前記第２の状態に切り換えられたとき、前記第２表示器に表示されている名前又は電話番号により特定される発呼先に対して発呼する発呼ステップと
を含むことを特徴とする発呼方法。
【請求項１４】
１以上の電話番号それぞれについて、その電話番号自身又はその電話番号とその電話番号に対応する人の名前との対を、発呼先を示す情報として記憶している記憶手段と、２つの表示器とを備え、操作により第１表示器が隠蔽され、第２表示器が露出している第１の状態と第１表示器が露出している第２の状態とに択一切り換え可能な移動体通信装置において発呼するためのプログラムであって、
前記第１の状態において、表示対象とする電話番号が、前記名前と対をなしている場合には、当該名前を前記第２表示器に表示させ、それ以外の場合には、前記電話番号自身を前記第２表示器に表示させる表示制御ステップと、
前記第１の状態から前記第２の状態に切り換えられたとき、前記第２表示器に表示されている名前又は電話番号により特定される発呼先に対して発呼する発呼ステップとをコンピュータに実行させることを特徴とするプログラム。
【発明の詳細な説明】
【０００１】
【発明の属する技術分野】
本発明は、移動体通信装置に関し、特に、発呼における制御技術に関する。
【０００２】
【従来の技術】
近年、ＰＨＳ(Personal  Handy  phone  System)、ＰＤＣ(Personal  Digital  Cellular  telecommunication  system)やＣＤＭＡ(  Code  Division  Multiple  Access  )などの移動体通信装置は、小型軽量化や通信品質の向上及び本体価格や通話料金の低下によって広く普及するに至っており、若者達の間で好評を博している。
【０００３】
特に、数多くあるタイプの移動体通信装置の中でも、筐体がヒンジを介した２部構成となっており、これら筐体を折り畳んだり逆に開いたりできるいわゆる折り畳み式のもの、筐体に付随する蓋がヒンジを支点として開閉するもの及び筐体に付随する蓋がスライドすることにより開閉するいわゆる開閉式のものなどの移動体通信装置は、ファッション性や操作性に優れ、人気が集中しているため、製造各社が競って販売する傾向にある。
【０００４】
なお、便宜上、折り畳み式の移動体通信装置において、筐体を折り畳んだ状態を閉じた状態ということとし、また、筐体を折り畳む動作を閉じるということとする。
このような移動体通信装置を利用するユーザは、友人や会社の同僚などに電話をかけようとする場合、まず移動体通信装置を閉じた状態から開いた状態にし、液晶ディスプレイなどにユーザ操作を促すための初期画面を表示させ、予め氏名及び電話番号が登録されているいわゆる電話帳を表示するためのボタンの所在を確認し、このボタンを押下して電話帳を表示させる。
【０００５】
さらに、ユーザは、目的の相手が記載されたページに辿り着くまで、ページをめくるためのボタン操作を行い、目的の相手を見つけると、その相手が示された場所にカーソルを移動させて通話開始ボタンを押下する。
その結果、この相手に発呼する処理が実施される。
無論、移動体通信装置を閉じた状態から開いた状態にした後に、ユーザが暗記している電話番号を直接入力し、通話開始ボタンを押下することによっても発呼されるが、人の暗記能力には限界があり、また、入力ミスなどが生じる恐れもあるため、多くのユーザが日常的に電話帳を利用して発呼を行っている。
【０００６】
このように電話帳を利用しての発呼は、ユーザにとって便利である。
【０００７】
【発明が解決しようとする課題】
しかしながら、上述のように多くのボタン操作を行って目的とする相手を見つけ出し、発呼しなくてはならず、操作が煩雑であるという問題がある。
そこで、本発明は上記問題点に鑑みてなされたものであって、煩雑な操作をせずに発呼可能な移動体通信装置を提供することを目的とする。
【０００８】
また、上述の移動体通信装置において、煩雑な操作をせずに発呼可能な発呼方法を提供することを目的とする。
さらに、上述の移動体通信装置において、煩雑な操作をせずに発呼するためのプログラムを提供すことを目的とする。
【０００９】
【課題を解決するための手段】
上記の目的を達成するために、本発明に係る移動体通信装置は、２つの表示器を備え、操作により第１表示器が隠蔽され、第２表示器が露出している第１の状態と第１表示器が露出している第２の状態とに択一切り換え可能な移動体通信装置であって、１以上の電話番号それぞれについて、その電話番号自身又はその電話番号とその電話番号に対応する人の名前との対を、発呼先情報として記憶している記憶手段と、前記第１の状態において、表示対象とする電話番号が、前記名前と対をなしている場合には、当該名前を前記第２表示器に表示させ、それ以外の場合には、前記電話番号自身を前記第２表示器に表示させる表示制御手段と、前記第１の状態から前記第２の状態に切り換えられたとき、前記第２表示器に表示されている名前又は電話番号により特定される発呼先に対して発呼する発呼手段とを備えることを特徴とするまた、本発明に係る発呼方法は、１以上の電話番号それぞれについて、その電話番号自身又はその電話番号とその電話番号に対応する人の名前との対を、発呼先を示す情報として記憶している記憶手段と、２つの表示器とを備え、操作により第１表示器が隠蔽され、第２表示器が露出している第１の状態と第１表示器が露出している第２の状態とに択一切り換え可能な移動体通信装置において、発呼する発呼方法であって、前記第１の状態において、表示対象とする電話番号が、前記名前と対をなしている場合には、当該名前を前記第２表示器に表示させ、それ以外の場合には、前記電話番号自身を前記第２表示器に表示させる表示制御ステップと、前記第１の状態から前記第２の状態に切り換えられたとき、前記第２表示器に表示されている名前又は電話番号により特定される発呼先に対して発呼する発呼ステップとを含むことを特徴とする。
【００１０】
さらに、本発明に係るプログラムは１以上の電話番号それぞれについて、その電話番号自身又はその電話番号とその電話番号に対応する人の名前との対を、発呼先を示す情報として記憶している記憶手段と、２つの表示器とを備え、操作により第１表示器が隠蔽され、第２表示器が露出している第１の状態と第１表示器が露出している第２の状態とに択一切り換え可能な移動体通信装置において、発呼するためのプログラムであって、前記第１の状態において、表示対象とする電話番号が、前記名前と対をなしている場合には、当該名前を前記第２表示器に表示させ、それ以外の場合には、前記電話番号自身を前記第２表示器に表示させる表示制御ステップと、前記第１の状態から前記第２の状態に切り換えられたとき、前記第２表示器に表示されている名前又は電話番号により特定される発呼先に対して発呼する発呼ステップとをコンピュータに実行させることを特徴とする。
【００１１】
【発明の実施の形態】
以下、図面を参照しつつ、本発明の実施の形態における折り畳み式移動通信装置１００について説明する。
＜構成＞
図１は、本発明に係る折り畳み式移動通信装置１００の外観図である。
【００１２】
折り畳み式移動通信装置１００は、ＩＳ(Interim  Standard)−９５ベースのＣＤＭＡ(Code  Division  Multiple  Access)方式の折り畳み可能な携帯電話であって、図１(ａ)は、開いた状態の正面図を示し、図１(b)は、開いた状態の左側面図を示し、また、図１(c)は、閉じた状態の正面図を示す。
折り畳み式移動通信装置１００は、目視可能な部位として、筐体部１０１と、メイン表示部１０２と、フレキシブルキー１０３と、４接点キー１０４と、Ｅメールキー１０５と、メニュー／ＯＫキー１０６と、終了／電源キー１０７と、テンキー１０８と、マイク１０９と、イヤホン端子カバー１１０と、ＷＥＢキー１１１と、サイドＯＫキー１１２と、サイドスクロールキー１１３と、開始キー１１４と、アンテナ１１５と、スピーカ１１６と、着信ランプ１１７と、サブ表示部１１８と、開閉検出スイッチ１１９とを有する。
【００１３】
筐体部１０１は、樹脂などからなり、中央にヒンジにを有する折り曲げ可能な筐体であって、上部筐体１０１ａと下部筐体１０１ｂとからなる。
上部筐体１０１ａの内側には、メイン表示部１０２と、スピーカ１１６とがあり、また、上部筐体１０１ａの外側には、着信ランプ１１７と、サブ表示部１１８とがある。
【００１４】
ここで上述の内側とは、筐体部１０１を完全に折り曲げた場合に、目視できなくなる側のことである。
下部筐体１０１ｂの左側面には、イヤホン端子カバー１１０と、サイドＯＫキー１１２と、サイドスクロールキー１１３とがある。
また、下部筐体１０１ｂの正面内側には、フレキシブルキー１０３と、４接点キー１０４と、Ｅメールキー１０５と、メニュー／ＯＫキー１０６と、終了／電源キー１０７と、テンキー１０８と、マイク１０９と、ＷＥＢキー１１１と、開始キー１１４と、開閉検出スイッチ１１９とがある。
【００１５】
メイン表示部１０２は、カラー液晶表示装置などからなり、スクロールなしに表示できる文字数としては１００文字程度である。
フレキシブルキー１０３は、３つのスイッチからなり、これらスイッチが配置される各位置に対応するメイン表示部１０２上の表示項目を選択するためのものである。
【００１６】
４接点キー１０４は、メイン表示部１０２上に表示されるカーソルの移動及び表示物のスクロールなどを実施するための上下左右に可動するスイッチである。Ｅメールキー１０５は、電子メール機能の表示画面に移行させるための押しボタン式のスイッチである。
メニュー／ＯＫキー１０６は、メニュー項目への移行及び選択した項目を確定するための押しボタン式のスイッチである。
【００１７】
終了／電源キー１０７は、電源をＯＮ／ＯＦＦ及び通話を終了するための押しボタン式のスイッチである。
テンキー１０８は、１２個の押しボタン式のスイッチの集まりであって、それぞれのボタンに数字及び文字が対応づけられており、これらを押下することとにより、電話番号及び電子メールなどの文字を入力するためのものである。
【００１８】
マイク１０９は、マイクロフォンであり、入力された音声を電気信号（以下、「音声信号」という。）に変換し、後述の音声処理部１２４に出力する。
イヤホン端子カバー１１０は、図示しないイヤホン端子を保護するカバーである。
ＷＥＢキー１１１は、インターネット接続機能の表示画面に移行するためのもの押しボタン式のスイッチである。
【００１９】
サイドＯＫキー１１２は、メモ再生及び音声録音及び選択した項目を確定するためのスライドスイッチである。
サイドスクロールキー１１３は、下スクロールキー１１３ａ及び上スクロールキー１１３ｂの２つのボタンからなり、表示しているページを前後にスクロールさせるためのものである。
【００２０】
開始キー１１４は、発呼及び着呼時の通話を開始するためのボタン式のスイッチである。
アンテナ１１５は、送受信電波に同調するためのホイップアンテナである。
スピーカ１１６は、圧電素子などからなり、受け取った信号に対して電気−音響変換を実施し、相手側の音声及び着信を知らせる着信音などを出力する。
【００２１】
着信ランプ１１７は、着信を視覚的に通知するためのＬＥＤであり、着信があった場合、緑色に点滅し、また、充電中は、赤色に点灯する。
サブ表示部１１８は、白黒液晶表示装置などからなり、最大文字表示数としては１０文字程度を表示し、制御部１２０からの指示にしたがい、表示現在時刻及び電界強度などの待ち受け画面と、後述の電話帳に登録された者の氏名又はこの者の電話番号に番号を対応づけたもの（以下、「登録情報」という。）を表示する。
【００２２】
開閉検出スイッチ１１９は、折り畳み式移動通信装置１００が開いた状態であるのか、又は、閉じた状態にあるかを機械的に検出するマイクロスイッチであり、筐体部１０１が閉じられた状態にあるとき、その旨を示すシャット信号を制御部１２０に出力する。
ここで開いた状態とは、下部筐体１０１ｂに配置された上述のマイクロスイッチの接点から上部筐体１０１ａが離れる状態をいい、わずかな開き角度でも上述のシャット信号の出力が中断されることとなる。
【００２３】
図２は、本発明に係る折り畳み式移動通信装置１００のより詳細な構成を示す機能ブロック図である。
折り畳み式移動通信装置１００は、アンテナ１１５、送受信部１２１、変復調部１２２、音声処理部１２４、マイク１０９、スピーカ１１６、制御部１２０、メイン表示部１０２、サブ表示部１１８、開閉スイッチ及び操作部１２３を有する。
【００２４】
なお、図１と重複する機能部については同一符号を付し、その説明を省略する。
送受信部１２１は、フィルタ、増幅器などからなる回路であって、アンテナ１１５を介し、外部に対し無線で通信データの受信及び送信を行う。
この通信データは、会話の音声などが含まれる音声データ及び電子メールなどが含まれる文字データ及び主に通信制御のために用いられる制御データなどからなる。
【００２５】
また、この制御データは、音声通信を行おうとする際に相手側から送信される相手側電話番号などを含む管理情報及びいわゆるＳＭＳべアラ（ショート・メッセージ・べアラ）と呼ばれる方式により送信される電子メールなどの管理情報を含んでいる。
変復調部１２２は、送信するデータについては変調し、また、受信したデータについては復調を行う。
【００２６】
また、変復調部１２２は、復調したデータから音声データを抽出して音声処理部１２４に出力し、この抽出がなされた後の上述のデータ、即ち、制御データ及び文字データなどを制御部１２０に出力する。
制御部１２０は、マイクロプロセッサとＲＯＭ(Read  Only  Memory)２０１及びデータを一時的に格納するためのＲＡＭ(Random  Access  Memory)２０２などを有し、ＲＯＭ２０１に格納されている制御プログラムにしたがって、発呼、着呼及び呼の確立などの処理を実施する。
【００２７】
このＲＡＭ２０２には、いわゆる電話帳と呼ばれるテーブル３００が記憶されている。
制御部１２０は、操作部１２３からの情報（以下、「入力情報」という。）をＲＡＭ２０２に格納し、このうち電子メールなどの文字情報などは送信データとして変復調部１２２へ出力する。
【００２８】
また、外部より、音声、電子メールなどの着信があった場合、制御部１２０は、これらの着信をビープ音などでユーザに通知する。
そして、ユーザからの指示により、着信があった音声、電子メールなどのデータを取得するための処理を実施する。
制御部１２０は、筐体部１０１が閉じられているとき、図示しない時計回路から現在時刻を、また図示しないＲＳＳＩ検出機構から電界強度を取得して、時刻と電界強度に対応したアンテナピクト（以下、「待ち受け画面」という。）をサブ表示部１１８に表示させる。
【００２９】
これは、ユーザが特に何も実施しないデフォルトの状態、即ち、待ち受け状態としての表示である。
以上は、従来と同様の処理である。
さらに、制御部１２０は、このテーブル３００に電話をかける相手の氏名、電話番号及び番号などの情報、即ち、登録情報を登録し、また、テーブル３００に登録されている登録情報の読出しを行う。
【００３０】
また、制御部１２０は、筐体部１０１が閉じられ、上述の待ち受け画面がサブ表示部１１８に表示されているとき、下スクロールキー１１３ａ又は上スクロールキー１１３ｂが長い時間押下（以下、「長押し」という。）された場合、電話帳の表示指示なされたことを認識して、テーブル３００内に記憶された番号「Ｎｏ.００１」が対応づけられた登録情報を参照し、この登録情報に氏名が含まれる場合には氏名を、また、氏名が登録されていない電話番号をサブ表示部１１８に表示させる。
【００３１】
制御部１２０は、待ち受け画面がサブ表示部１１８に表示されている状態での長押し後に、下スクロールキー１１３ａが、短い時間間隔で押下（以下、「短押し」という。）された場合、この短押し毎に表示対象とする登録情報の番号を１づつインクリメントする。
つまり、下スクロールキー１１３ａを何度も短押しすると、サブ表示部１１８に表示される登録情報の番号は、Ｎｏ.００１、Ｎｏ.００２、Ｎｏ.００３、…と切り換わる。
【００３２】
なお、テーブル３００に登録できる登録情報の数は、最大９９９件と決まっており、この数を限度として登録情報がなされるが、登録がなされると小さい値の番号から順次対応づけられるため、対応づけられた番号の最大値（以下、「最大番号」という。）は、登録件数と等しい。
制御部１２０は、この最大番号に１をインクリメントする場合には、番号「Ｎｏ.００１」とする設定がなされている。
【００３３】
また、制御部１２０は、上述の長押し後に、上スクロールキー１１３ｂが、短押しされた場合、この短押し毎に表示対象とする登録情報の番号を１づつディクリメントする。
ただし、登録情報の番号「Ｎｏ.００１」から１をディクリメントした場合、制御部１２０は、上述の最大番号とする設定がなされている。
【００３４】
つまり、上スクロールキー１１３ｂを何度も短押しすると、サブ表示部１１８に表示される登録情報の番号は、例えば、Ｎｏ.００１、Ｎｏ.９９９、Ｎｏ.９９８、…のように切り換わる。
なお、既に、登録情報がサブ表示部１１８に表示されている状態で、下スクロールキー１１３ａ又は上スクロールキー１１３ｂが長押しされた場合、制御部１２０は、長押しされたキーについて短押しを複数回繰り返し実施したのと同様の機能を発揮し、その繰り返し回数は、長押しされた時間にほぼ比例する。
【００３５】
制御部１２０は、サブ表示部１１８に登録情報を表示しているときに、開閉検出スイッチ１１９からシャット信号が入力されると、表示されている登録情報に示されている相手に対して発呼する機能を有する。
より具体的には、制御部１２０は、サブ表示部１１８に表示されている登録情報が電話番号である場合には、この電話番号を送信して発呼し、また、サブ表示部１１８に表示されている登録情報が氏名の場合には、この氏名に対応づけられている電話番号を送信して発呼する。
【００３６】
操作部１２３は、フレキシブルキー１０３と、４接点キー１０４と、Ｅメールキー１０５と、メニュー／ＯＫキー１０６と、終了／電源キー１０７と、テンキー１０８と、ＷＥＢキー１１１と、サイドＯＫキー１１２と、サイドスクロールキー１１３及び開始キー１１４とからなる。
また、操作部１２３は、これらキーを用いて入力された入力情報を制御部１２０に出力する。
【００３７】
音声処理部１２４は、変復調部１２２から受け取った音声データを、Ｄ／Ａ変換などの処理を行いスピーカ１１６に出力する。
また、音声処理部１２４は、マイク１０９から音声信号を受け取って、Ａ／Ｄ変換を実施して、変復調部１２２に出力する。
＜データ＞
図３は、ＲＡＭ２０２に格納され、番号、氏名及び電話番号が対応づけられたいわゆる電話帳と呼ばれるテーブル３００のデータ構成を示すである。
【００３８】
番号列３０１は、登録された登録情報毎に付与される番号を示し、氏名列３０２は、上述の電話帳に登録された人の氏名を示し、電話番号列３０３は、この人の電話番号を示す。
上述の番号は、登録順序に対応する３桁の番号であって、番号列３０１において、登録情報がない、即ち、未登録の行には「０００」が示される。
【００３９】
また、番号列３０１において、登録情報が登録されている行には「００１」から「９９９」までの値が示される。
＜動作＞
以下、折り畳み式移動通信装置１００の動作について説明する。
図４は、制御部１２０よる電話帳をサブ表示部１１８に表示する処理を示すフローチャートである。
【００４０】
制御部１２０は、サイドスクロールキー１１３が長押しされているか否かを判断し（ステップＳ４０１）、長押しされている場合には、さらに、サブ表示部１１８において待ち受け画面が表示中か否かを判断する（ステップＳ４０２）。
待ち受け画面が表示中である場合、制御部１２０は、テーブル３００に登録されている番号００１の登録情報を読出し（ステップＳ４０３）、この登録情報を表示する処理（以下、「表示処理」という。）を実施し（ステップＳ４０５）、サイドスクロールキー１１３が短押しされているか否かを判断し（ステップＳ４０６）、短押しされている場合には、変数kの値を１とし（ステップＳ４０７）、また、変数ｎの値を０とする（ステップＳ４０８）。
【００４１】
また、サブ表示部１１８において待ち受け画面が表示中か否かを判断するステップＳ４０２において、待ち受け画面が表示中でない場合、制御部１２０は、長押しの時間にほぼ比例した値の大きさをもつ自然数k（k≧２）を生成し（ステップＳ４０９）、変数ｎの値を０とする（ステップＳ４０８）。
サイドスクロールキー１１３が長押しされているか否かを判断するステップＳ４０１において、長押しされていない場合には、制御部１２０は、サブ表示部１１８において登録情報を表示中か否かを判断し（ステップＳ４１０）、登録情報を表示中の場合、サイドスクロールキー１１３が短押しされているか否かを判断し（ステップＳ４０６）、短押しされている場合には、変数kの値を１とし（ステップＳ４０７）、また、変数ｎの値を０とする（ステップＳ４０８）。
【００４２】
一方、サブ表示部１１８において登録情報を表示しているか否かを判断するステップＳ４１０において登録情報を表示していない場合、制御部１２０は、サイドスクロールキー１１３が長押しされているか否かを判断する最初のステップＳ４０１に戻る。
サイドスクロールキー１１３が短押しされているか否かを判断するステップＳ４０６において、短押しされていない場合、制御部１２０は、サイドスクロールキー１１３が長押しされているか否かを判断する最初のステップＳ４０１に戻る。
【００４３】
そして、制御部１２０は、変数ｎとｋが同じ値となるまで、以下の処理を繰り返す（ステップＳ４１１〜ステップＳ４１８）。
即ち、制御部１２０は、押下されたキーが下スクロールキー１１３aか否かを判断し（ステップＳ４１２）、押下されたキーが下スクロールキー１１３aである場合、表示中の登録情報に含まれる番号を参照し、この番号を１だけインクリメントさせた値を求める（ステップＳ４１３）。
【００４４】
そして、制御部１２０は、算出された値の番号が含まれる登録情報を読み出し（ステップＳ４１５）、この登録情報を表示する表示処理を実施し（ステップＳ４０５）、ｎの値に１を加えたものを新たなｎとする（ステップＳ４１７）。
また、押下されたキーが下スクロールキー１１３aか否かを判断するステップＳ４１２において、押下されたキーが下スクロールキー１１３aでない場合、即ち、押下されたキーが上スクロールキー１１３ｂであった場合、制御部１２０は、表示中の登録情報に含まれる番号を参照し、この番号を１だけディクリメントさせた値を求め（ステップＳ４１６）、算出された値の番号が含まれる登録情報を読み出し（ステップＳ４１５）、この登録情報を表示する表示処理を実施し（ステップＳ４０５）、ｎの値に１を加えたものを新たなｎとする（ステップＳ４１７）。
【００４５】
以上のステップＳ４１１からステップＳ４１８までを完了すると、制御部１２０は、サイドスクロールキー１１３が長押しされているか否かを判断する最初のステップＳ４０１に戻る。
図５は、図４におけるこの登録情報を表示するステップＳ４０５における処理の詳細を示すフローチャートである。
【００４６】
制御部１２０は、テーブル３００から読み出された登録情報に氏名が対応づけられているか否かを判断し（ステップＳ５０１）、登録情報に氏名が対応づけられている場合、この氏名をサブ表示部１１８に表示する。
一方、登録情報に氏名が対応づけられていない場合、制御部１２０は、電話番号を表示する。
【００４７】
図６は、制御部１２０よる発呼の処理を示すフローチャートである。
制御部１２０は、開閉検出スイッチ１１９から入力されている信号が入力されたかどうかを判断し（ステップＳ６０１）、開閉検出スイッチ１１９から入力されるまで待機し、この信号が入力されたとき、サブ表示部１１８に登録情報として電話番号が表示されているか否かを判断し（ステップＳ６０２）、電話番号が表示されていない場合、サブ表示部１１８に登録情報として氏名が表示されているか否かを判断し（ステップＳ６０３）、サブ表示部１１８に氏名が表示されている場合、テーブル３００からこの氏名に対応する電話番号を検索し（ステップＳ６０４）、この電話番号を送信して発呼する（ステップＳ６０５）。
【００４８】
また、サブ表示部１１８に登録情報として氏名が表示されているか否かを判断するステップＳ６０３において、サブ表示部１１８に氏名が表示されていない場合、制御部１２０は、処理を終了する。
一方、サブ表示部１１８に登録情報として電話番号が表示されているか否かを判断するステップＳ６０２において、氏名が表示されていない場合、制御部１２０は、この電話番号を送信して発呼し（ステップＳ６０５）、処理を終了する。＜表示＞
次に、サブ表示部１１８における表示内容について説明する。
【００４９】
図７は、筐体部１０１が閉じられた状態におけるサブ表示部１１８での表示状態の変化を示す図である。
図７（Ａ）は、待ち受け状態におけるサブ表示部１１８のデフォルトの表示画面であり、制御部１２０により、現在時刻「９時３０分」及び電界強度に対応したアンテナピクトの図が示されている。
【００５０】
なお、制御部１２０は、時刻表示の左側余白部分に電池残量、装置の設定状態やメールが着信したことを示す複数のアイコン又は文字なども表示することができる。
図７（Ｂ）、図７（Ｃ１）、図７（Ｃ２）、図７（Ｄ１）及び図７（Ｄ２）は、待ち受け状態におけるサブ表示部１１８の表示画面であって、電話帳を呼び出した状態を示している。
【００５１】
図７（Ｂ）は、図７（Ａ）の状態となっているときに、下スクロールキー１１３ａ又は上スクロールキー１１３ｂが長押しされた場合のサブ表示部１１８における電話帳、即ち、登録情報の表示内容を示す図である。
つまり、図７（Ｂ）は、図４におけるステップＳ４０３を経て、ステップＳ４０５を実施した場合における表示状況であり、番号「Ｎｏ．００１」が対応づけられている登録情報の表示内容を示している。
【００５２】
この場合、番号「Ｎｏ．００１」が対応づけられている登録情報には、この氏名も登録されているので、制御部１２０は、電話番号ではなく、相手を認識するのに容易な氏名「鈴木太郎」を表示する。
即ち、図７（Ｂ）は、図５におけるステップＳ５０２を実施した場合における表示状況である。
【００５３】
図７（Ｃ１）は、図７（Ｂ）の表示状態となっているときに、下スクロールキー１１３ａが押下された場合のサブ表示部１１８における登録情報の表示内容を示す図である。
つまり、図７（Ｃ１）は、図４におけるステップＳ４１３及びステップＳ４１５を経て、ステップＳ４０５を実施した場合における表示状況であり、番号「Ｎｏ．００２」が対応づけられている登録情報の表示内容を示している。
【００５４】
この番号「Ｎｏ．００２」の登録情報にも、番号「Ｎｏ．００１」の登録情報と同様に、氏名が登録されているので、制御部１２０は、電話番号ではなく、相手を認識するのに容易な氏名「鈴木二郎」を表示する。
また、図７（Ｃ２）は、図７（Ｃ１）の表示状態となっているときに、下スクロールキー１１３ａが押下された場合のサブ表示部１１８における登録情報の表示内容を示す図である。
【００５５】
つまり、図７（Ｃ２）は、図４におけるステップＳ４１３及びステップＳ４１５を経て、ステップＳ４０５を実施した場合における表示状況であり、番号「Ｎｏ．００３」が対応づけられている登録情報の表示内容を示している。
この番号「Ｎｏ．００３」の登録情報にも、番号「Ｎｏ．００１」及び「Ｎｏ．００２」の登録情報と同様に、氏名が登録されているので、制御部１２０は、電話番号ではなく、相手を認識するのに容易な氏名「鈴木三郎」を表示する。
【００５６】
図７（Ｄ１）は、図７（Ｂ）の表示状態となっているときに、上スクロールキー１１３ｂが押下された場合のサブ表示部１１８における登録情報の表示内容を示す図である。
つまり、図７（Ｄ１）は、図４におけるステップＳ４１６及びステップＳ４１５を経てステップＳ４０５を実施した場合における表示状況であり、番号「Ｎｏ．９９９」が対応づけられている登録情報の表示内容を示している。
【００５７】
この場合、番号「Ｎｏ．９９９」が対応づけられている登録情報には、氏名が登録されていないので、制御部１２０は、電話番号「０９０−△××△−○○□□」を表示する。
即ち、図７（Ｄ１）は、図５におけるステップＳ５０３を実施した場合における表示状況である。
【００５８】
図７（Ｄ２）は図７（Ｄ１）の表示状態となっているときに、上スクロールキー１１３ｂが押下された場合のサブ表示部１１８における登録情報の表示内容を示す図である。
つまり、図７（Ｄ２）は、図４におけるステップＳ４１６及びステップＳ４１５を経てステップＳ４０５を実施した場合における表示状況であり、番号「Ｎｏ．９９８」が対応づけられている登録情報の表示内容を示している。
【００５９】
この場合、番号「Ｎｏ．９９８」が対応づけられている登録情報には、番号「Ｎｏ．９９９」の登録情報と同様に氏名が登録されていないので、制御部１２０は、電話番号「０９０−○△□×−○○○○」を表示する。
即ち、図７（Ｄ２）は、図５におけるステップＳ５０３を実施した場合における表示状況である。
【００６０】
なお、図７（Ｂ）の表示状態において、下スクロールキー１１３ａ又は上スクロールキー１１３ｂを長押しすると、電話帳を高速でサーチすることができる。即ち、これは、図４におけるステップＳ４０９を経て、ステップＳ４１１〜ステップＳ４１８を繰り返し実施した状態である。
このように、図７（Ｂ）、図７（Ｃ１）、図７（Ｃ２）、図７（Ｄ１）及び図７（Ｄ２）の状態から、ユーザが筐体部１０１を閉じた状態から開いた状態にすると、開閉検出スイッチ１１９からシャット信号が入力され、制御部１２０は、サブ表示部１１８に表示されている登録情報の電話番号を送信して発呼することにより、この登録情報により特定される相手を呼び出して通話可能状態にする。
【００６１】
以上のように、本実施形態によれば、折り畳み式移動通信装置１００において、サブ表示部１１８に登録情報を表示している際、筐体部１０１が開かれると、当該登録情報により特定される相手に対して発呼するので、発呼する際、煩雑な操作が不要となる。
なお、本実施の形態では、筐体を折り畳んだり逆に開いたりできるいわゆる折畳式の移動体通信機を例に挙げ説明を行ったが、筐体に付随する蓋がヒンジを支点として開閉するタイプ及び筐体に付随する蓋がスライドすることにより開閉するタイプの移動体通信機であってもよい。
【００６２】
その場合、上述の蓋が閉じられたときに露出する位置にサブ表示部１１８が設けられることになる。
また、開閉検出スイッチ１１９は、折り畳み式移動通信装置１００が開いた状態であるのか、又は、閉じた状態にあるかを機械的に検出するマイクロスイッチであるとしたが、筐体部１０１が開いたことを検出する光センサーや開き角度を検出するエンコーダなどを用いてもよい。
【００６３】
また、メイン表示部１０２は、カラー液晶表示装置などからなるとしたが、これに限らず有機ＥＬ表示装置などであってもよい。
また、サブ表示部１１８は、白黒液晶表示装置などからなるとしたが、カラー液晶表示装置であってもよく、また、有機ＥＬ表示装置などであってもよい。
また、本実施の形態では、制御部１２０は、テーブル３００において、登録がなされると小さい値の番号から順次対応づけられるとしたが、日本の５０音順、また、米国のアルファベット順などのように、当該折畳式移動通信装置１００が使用される国の音節表順に氏名を登録してもよい。
【００６４】
その場合、制御部１２０は、新たな登録情報が登録される毎に、登録情報への番号の対応づけを見なおすこととなる。
また、制御部１２０は、登録情報毎にこの登録情報に含まれている電話番号に発呼した回数を対応づけ、電話をかけるとき、この回数が多い登録情報ほど小さい値の番号を対応づけるようにテーブル３００を更新するとしてもよい。
【００６５】
その結果、よく電話をかける相手の氏名又は電話番号が優先的にサブ表示部１１８表示されることとなる。
また、本実施の形態では、制御部１２０は、電話帳に登録された登録情報を表示するとしたが、最近の着呼に伴って取得された相手側の電話番号（いわゆる電話番号通知サービスにより送られてくる電話番号）を表示してもよい。
【００６６】
その場合、着呼があった際、通話開始ぜずにリンガーがなり終えても電話番号は取得されるため、着呼がなされた後に、その相手にかけなおす際は、筐体部１０１を開くことにより簡単に通話の機会を逃した相手に発呼することができる。また、制御部１２０は、着呼に伴って取得された相手側の電話番号をテーブル３００に格納し、当該着呼の時期が遅いものほど小さい値の番号を対応づけてもよい。
【００６７】
その場合、サブ表示部１１８において、着呼時期が現在に近いほど、この着呼と共に到来する相手の電話番号が優先的に表示される。
また、制御部１２０は、サブ表示部１１８に氏名又は電話番号が表示されているとき、筐体部１０１が開かれた場合、サブ表示部１１８に表示されている内容をそのままメイン表示部１０２に表示してもよい。
【００６８】
また、制御部１２０は、サブ表示部１１８に氏名が表示されているとき、筐体部１０１が開かれた場合、サブ表示部１１８に表示されている氏名及びこれに対応する電話番号をメイン表示部１０２に表示してもよい。
図８は、このようなケースにおけるサブ表示部１１８及びメイン表示部１０２の表示状況を示す図である。
【００６９】
図８（Ａ）は、筐体部１０１が閉じられた状態において、制御部１２０により表示される氏名「鈴木太郎」を示す。
図８（Ｂ）は、図８（Ａ）の状態で筐体部１０１が開かれた場合、氏名「鈴木太郎」及びこの氏名に対応する電話番号「０９０−□×○×−○××○」が制御部１２０により表示されることを示す。
【００７０】
【発明の効果】
以上の説明から明らかなように、本発明に係る移動体通信装置は、２つの表示器を備え、操作により第１表示器が隠蔽され、第２表示器が露出している第１の状態と第１表示器が露出している第２の状態とに択一切り換え可能な移動体通信装置であって、１以上の電話番号それぞれについて、その電話番号自身又はその電話番号とその電話番号に対応する人の名前との対を、発呼先を示す情報として記憶している記憶手段と、前記第１の状態において、表示対象とする電話番号が、前記名前と対をなしている場合には、当該名前を前記第２表示器に表示させ、それ以外の場合には、前記電話番号自身を前記第２表示器に表示させる表示制御手段と、前記第１の状態から前記第２の状態に切り換えられたとき、前記第２表示器に表示されている名前又は電話番号により特定される発呼先に対して発呼する発呼手段とを備えることを特徴とし、また、本発明に係る発呼方法は、１以上の電話番号それぞれについて、その電話番号自身又はその電話番号とその電話番号に対応する人の名前との対を、発呼先を示す情報として記憶している記憶手段と、２つの表示器とを備え、操作により第１表示器が隠蔽され、第２表示器が露出している第１の状態と第１表示器が露出している第２の状態とに択一切り換え可能な移動体通信装置において、発呼する発呼方法であって、前記第１の状態において、表示対象とする電話番号が、前記名前と対をなしている場合には、当該名前を前記第２表示器に表示させ、それ以外の場合には、前記電話番号自身を前記第２表示器に表示させる表示制御ステップと、前記第１の状態から前記第２の状態に切り換えられたとき、前記第２表示器に表示されている名前又は電話番号により特定される発呼先に対して発呼する発呼ステップとを含むことを特徴とし、さらに、本発明に係るプログラムは、１以上の電話番号それぞれについて、その電話番号自身又はその電話番号とその電話番号に対応する人の名前との対を、発呼先を示す情報として記憶している記憶手段と、２つの表示器とを備え、操作により第１表示器が隠蔽され、第２表示器が露出している第１の状態と第１表示器が露出している第２の状態とに択一切り換え可能な移動体通信装置において、発呼するためのプログラムであって、前記第１の状態において、表示対象とする電話番号が、前記名前と対をなしている場合には、当該名前を前記第２表示器に表示させ、それ以外の場合には、前記電話番号自身を前記第２表示器に表示させる表示制御ステップと、前記第１の状態から前記第２の状態に切り換えられたとき、前記第２表示器に表示されている名前又は電話番号により特定される発呼先に対して発呼する発呼ステップとをコンピュータに実行させることを特徴とする。
【００７１】
これにより、前記移動体通信装置を開くことにより、前記場所に表示されている名前又は電話番号により特定される発呼先に対して発呼されるため、煩雑な操作をせずに発呼される。また、前記記憶手段が記憶している電話番号は、複数であり、前記移動体通信装置は、さらに、操作者から表示対象とする前記電話番号の変更指示を受付ける変更指示受付手段を備え、前記表示制御手段は、１つの電話番号のみを前記表示対象として選出し、前記変更指示が受付けられる毎に、前記表示対象を切り換えるとしてもよい。
【００７２】
これにより、操作者の変更指示により他の名前が第２表示器に表示され、より多くの名前が参照可能となる。また、前記表示制御手段は、前記第２表示器に前記名前を表示させ、前記発呼手段は、前記第２表示器に表示されている名前と対をなしている電話番号にもとづいて発呼するとしてもよい。
【００７３】
これにより、第２表示器にに名前が表示されるため、電話をかける相手が容易に特定される。また、前記表示制御手段は、前記第１の状態から前記第２の状態に切り換えられたとき、前記第２表示器に表示されている内容を、前記第１表示器に表示させるとしてもよい。
【００７４】
これにより、発呼した相手の名前について、第２の状態に切り換えられたとき、即ち、発呼したときに第１表示器においても確認できる。また、前記表示制御手段は、前記第１表示器における前記名前の表示に伴って、当該名前と対をなしている電話番号を当該名前と共に表示させるとしてもよい。これにより、発呼した相手の名前及び電話番号について、第２の状態に切り換えられたとき、即ち、発呼したときに第１表示器においても確認できる。
【００７５】
また、前記記憶手段は、前記名前に当該名前の音節表順位を対応づけて記憶しており、前記表示制御手段は、前記順位にもとづいて前記表示対象の切り換えを実施するとしてもよい。これにより、第２表示器に表示される名前の順番が予測できるため、操作者による名前の見落としなどが軽減される。
【００７６】
また、前記移動体通信装置は、さらに、操作者から前記発呼先情報の入力を受付ける受付手段を備え、前記記憶手段に記憶されている発呼先情報は、予め前記受付手段により受付けられたものであるとしてもよい。
これにより、操作者により、電話をかける相手の名前及び電話番号の登録がなされる。
【００７７】
また、前記移動体通信装置は、さらに、前記第１の状態から前記第２の状態へと切り換わる初期の段階で第２の状態となったことを検出する検出手段を備え、前記発呼手段は、前記検出がなされたとき、前記発呼を実施するとしてもよい。これにより、ゆっくりと第１の状態から第２の状態へと移行した場合であっても、当該移行の初期の段階で発呼が開始されるため、呼の確立の早期化が図られる。
【００７８】
また、前記移動体通信装置は、さらに、発呼を行った回数を、前記記憶手段内に格納されているの当該発呼先の電話番号に対応づける発呼回数対応づけ手段を備え、前記表示制御手段は、多い発呼回数が対応づけられている電話番号を前記表示対象とするとしてもよい。これにより、発呼の回数が多ければ多いほど、その発呼の相手の名前が第２表示器に優先的に表示されるため、操作者が発呼を望む相手の名前又は電話番号が効率的に検索される。
【００８１】
また、前記移動体通信装置は、さらに、着呼に伴って到来する電話番号を取得し、前記記憶手段に格納する電話番号取得手段を備えるとしてもよい。これにより、操作者が入力ぜずとも、着呼に伴って到来する電話番号が前記記憶手段に格納されるので、電話番号の入力の手間が軽減される。また、前記移動体通信装置は、さらに、着呼がなされた時期を、当該着呼に伴って取得される電話番号に対応づける着呼時期対応づけ手段を備え、前記表示制御手段は、遅い着呼時期が対応づけられている電話番号から優先して前記表示対象にするとしてもよい。
【００８２】
これにより、着呼の時期が遅いものほど、その着呼の相手の電話番号が前記場所に優先的に表示される。つまり、最近の着呼にかかわる相手の電話番号が前記場所に直ぐに表示されるため、着呼した相手にかけなおす場合は、発呼の手間が軽減される。
【００８５】
また、前記移動体通信装置は、さらに、操作者から電話番号の入力を受付ける受付手段を備え、前記記憶手段に記憶されている電話番号は、予め前記受付手段により受付けられたものであるとしてもよい。
【００８６】
これにより、操作者により、電話をかける相手の電話番号の登録がなされる。また、前記移動体通信装置は、さらに、前記第１の状態から前記第２の状態へと切り換わる初期の段階で第２の状態となったことを検出する検出手段を備え、前記発呼手段は、前記検出がなされたとき、前記発呼を実施するとしてもよい。
【００８７】
これにより、ゆっくりと第１の状態から第２の状態へと移行した場合であっても、当該移行の初期の段階で発呼が開始されるため、呼の確立の早期化が図られる。
【図面の簡単な説明】
【図１】  (ａ)は、本発明に係る折り畳み式通信装置の正面図である。
(ｂ)は、本発明に係る折り畳み式通信装置の開状態における側面図である。
(ｃ)は、本発明に係る折り畳み式通信装置の閉状態における正面図である。
【図２】本発明に係る折り畳み式通信装置の構成を示す機能ブロック図である。
【図３】番号、氏名及び電話番号が対応づけられたいわゆる電話帳が示されたテーブルのデータ構成を示す図である。
【図４】制御部よる電話帳をサブ表示部に表示する処理を示すフローチャートである。
【図５】図４におけるこの登録情報を表示するステップＳ４０５における処理の詳細を示すフローチャートである。
【図６】制御部よる発呼の処理を示すフローチャートである。
【図７】筐体が閉じられた状態におけるサブ表示部での表示状態の変化を示す図である。
【図８】筐体が開かれたときにおける、メイン表示部における表示状況を示す図である。
【符号の説明】
１００    折り畳み式通信装置
１０１    筐体部
１０１ａ  上部筐体
１０１ｂ  下部筐体
１０２    メイン表示部
１０３    フレキシブルキー
１０４    接点キー
１０５    Ｅメールキー
１０６    メニュー／ＯＫキー
１０７    終了／電源キー
１０８    テンキー
１０９    マイク
１１０    イヤホン端子カバー
１１１    ＷＥＢキー
１１２    サイドＯＫキー
１１３    サイドスクロールキー
１１３    下スクロールキー
１１３ａ  下スクロールキー
１１３ｂ  上スクロールキー
１１４    開始キー
１１５    アンテナ
１１６    スピーカ
１１７    着信ランプ
１１８    サブ表示部
１１９    開閉検出スイッチ
１２０    制御部
１２１    送受信部
１２２    変復調部
１２３    操作部
１２４    音声処理部
２０１    ＲＯＭ
２０２    ＲＡＭ
【図１】
0003685746.tif 000002
【図２】
0003685746.tif 000003
【図３】
0003685746.tif 000004
【図４】
0003685746.tif 000005
【図５】
0003685746.tif 000006
【図６】
0003685746.tif 000007
【図７】
0003685746.tif 000008
【図８】
0003685746.tif 000009